(57)【要約】【課題】言葉の新鮮さを維持しながら、手軽に利用者に言葉を伝えることができる道具を提供する。【解決手段】手帳１１は、紙葉１２の集合体で形成される手帳本体１３と、手帳本体１３に結合されて、内部に収容空間を形成する容器１７とを備える。容器１７内の収容空間には複数の札が収容される。札は、容器１６に形成される開口を通じて収容空間に対して一度に一体ごと出入りする。利用者は複数の札から運任せに１つの札を認知する。【選択図】図１
2017109384.tif 000002
【特許請求の範囲】
【請求項１】
紙葉の集合体で形成される本体と、
前記本体に結合されて、内部に収容空間を形成する容器と、
前記収容空間に収容されて、前記容器に形成される開口を通じて前記収容空間に対して一度に一体ごと出入りする複数の札と、
を備えることを特徴とする手帳。
【請求項２】
請求項１に記載の手帳において、前記開口は本体の天または天の延長線に向かって開口することを特徴とする手帳。
【請求項３】
請求項１または２に記載の手帳において、前記札の一端には、前記札の他端から前記開口に進入する姿勢で、前記開口からの抜けを阻止する係り止め片が形成されることを特徴とする手帳。
【請求項４】
請求項１〜３のいずれか１項に記載の手帳において、前記容器は前記本体の表紙の表面に固定されることを特徴とする手帳。
【請求項５】
システム手帳のバインダーのリングの位置関係を反映した配置の複数の孔を有するリフィル本体と、
前記リフィル本体に結合されて、内部に収容空間を形成する容器と、
前記収容空間に収容されて、前記容器に形成される開口を通じて前記収容空間に対して一度に一体ごと出入りする複数の札と、
を備えることを特徴とするシステム手帳用リフィル。
【請求項６】
請求項５に記載のシステム手帳用リフィルを含むことを特徴とするシステム手帳。
【請求項７】
スマートフォンの裏面に重ねられて、前記スマートフォンに固定されるベース本体と、
前記ベース本体の縁に平行な軸回りで開閉自在に前記ベース本体に結合され、前記ベース本体に向かって閉じられると前記スマートフォンの表面を覆う扉体と、
前記扉体に結合されて、内部に収容空間を形成する容器と、
前記収容空間に収容されて、前記容器に形成される開口を通じて前記収容空間に対して一度に一体ごと出入りする複数の札と、
を備えることを特徴とするスマートフォンカバー。
【請求項８】
平面に沿って広がるベース板、および、前記ベース板に平行に広がって側壁で前記ベース板に接続される天板を有する容器と、
前記ベース板および前記天板の間で前記容器の側壁に区画されて前記ベース板に平行に周方向に広がる開口を通じて前記ベース板に平行な姿勢で前記容器内部の収容空間に対して一度に一体ごと出入りする複数の札と
を備えることを特徴とするくじボックスまたは占いボックス。
【請求項９】
請求項８に記載のくじボックスまたは占いボックスにおいて、前記ベース板の外向き平面には粘着層が積層されることを特徴とするくじボックスまたは占いボックス。
【請求項１０】
請求項９に記載のくじボックスまたは占いボックスにおいて、前記粘着層は剥離材で覆われることを特徴とするくじボックスまたは占いボックス。
【発明の詳細な説明】
【技術分野】
【０００１】
本発明は、スマートフォンカバーや、紙葉の集合体で構成される手帳、いわゆるシステム手帳に関する。
【背景技術】
【０００２】
手帳は一般に知られる。手帳は多数の紙葉の集合体で構成される。紙葉にはページごとに週間予定や月間予定、連絡先といったレイアウトが区画される。利用者はレイアウトに予定や連絡先、メモを書き込むことができる。
【先行技術文献】
【特許文献】
【０００３】
【特許文献１】特開２０１５−１４７３８３号公報
【特許文献２】特開２０１４−１２４７７９号公報
【発明の概要】
【発明が解決しようとする課題】
【０００４】
ひとは、悲しいとき、落ち込んだとき、苦しいとき、成功者や著名人、歴史上の人物の名言や格言、良い言葉によってしばしば励まされ、勇気づけられ、支えられ、教えられ、癒やされ、言葉から力やエネルギーを受け取る。こうした名言や格言、良い言葉は例えば手帳に書き込むことができる。
【０００５】
ところで、女性は占いや雑誌、テレビのワイドショーを好む。占いの愛好者は事あるごとに自分の運勢を気にする。一般に提供される占いは１週間の運勢やその日いちにちの運勢を提示する。手帳に占いがつくことで、どんなところにいても手軽に占いを楽しむことができれば、愛好者にとって大きな喜びである。
【０００６】
本発明は、手軽に利用者に名言や格言、良い言葉を伝えることができる道具を提供することを目的とする。また、本発明は、持ち歩くことができ、一日に１回に限られずに何度でも手軽に楽しむことができる占いを提供することを目的とする。
【課題を解決するための手段】
【０００７】
本発明の第１側面によれば、紙葉の集合体で形成される本体と、前記本体に結合されて、内部に収容空間を形成する容器と、前記収容空間に収容されて、前記容器に形成される開口を通じて前記収容空間に対して一度に一体ごと出入りする複数の札とを備える手帳は提供される。
【０００８】
第２側面によれば、第１側面の構成に加えて、前記開口は本体の天または天の延長線に向かって開口する。
【０００９】
第３側面によれば、第１側面または第２側面の構成に加えて、前記札の一端には、前記札の他端から前記開口に進入する姿勢で、前記開口からの抜けを阻止する係り止め片が形成される。
【００１０】
第４側面によれば、第１〜第３側面のいずれか１側面の構成に加えて、前記容器は前記本体の表紙の表面に固定される。
【００１１】
第５側面によれば、システム手帳のバインダーのリングの位置関係を反映した配置の複数の孔を有するリフィル本体と、前記リフィル本体に結合されて、内部に収容空間を形成する容器と、前記収容空間に収容されて、前記容器に形成される開口を通じて前記収容空間に対して一度に一体ごと出入りする複数の札とを備えるシステム手帳用リフィルは提供される。
【００１２】
第６側面によれば、第５側面に係るシステム手帳用リフィルを含むシステム手帳は提供される。
【００１３】
第７側面によれば、スマートフォンの裏面に重ねられて、前記スマートフォンに固定されるベース本体と、前記ベース本体の縁に平行な軸回りで開閉自在に前記ベース本体に結合され、前記ベース本体に向かって閉じられると前記スマートフォンの表面を覆う扉体と、前記扉体に結合されて、内部に収容空間を形成する容器と、前記収容空間に収容されて、前記容器に形成される開口を通じて前記収容空間に対して一度に一体ごと出入りする複数の札とを備えるスマートフォンカバーは提供される。
【００１４】
第８側面によれば、平面に沿って広がるベース板、および、前記ベース板に平行に広がって側壁で前記ベース板に接続される天板を有する容器と、前記ベース板および前記天板の間で前記容器の側壁に区画されて前記ベース板に平行に周方向に広がる開口を通じて前記ベース板に平行な姿勢で前記容器内部の収容空間に対して一度に一体ごと出入りする複数の札とを備えるくじボックスまたは占いボックスは提供される。
【００１５】
第９側面によれば、第８側面の構成に加え、前記ベース板の外向き平面には粘着層が積層される。
【００１６】
第１０側面によれば、第９側面の構成に加えて、前記粘着層は剥離材で覆われる。
【発明の効果】
【００１７】
第１側面によれば、紙葉にはページごとに週間予定や月間予定、連絡先といったレイアウトが区画される。利用者はレイアウトに予定や連絡先、メモを書き込むことができる。複数の札には個別に例えば文字といった視覚的表現が書き込まれる。文字は成功者や著名人、歴史上の人物の名言や格言、良い言葉を構成することができ、１つの札が開口から収容空間の外側に出ると、利用者は視覚的表現を確認することができる。一度に一体の札しか出入りしないことから、利用者は複数の札から運任せに１つの札を認知する。利用者は出てくる言葉を予測することができないことから、言葉の新鮮さは維持される。こうして手軽に利用者に名言や格言、良い言葉を伝えることができる道具は提供される。また、文字は運勢やメッセージ、指針を構成することができる。こうして利用者は、場面ごとに、どんなところにいても、予定や連絡先、メモを確認するたびに、一日に１回に限られずに手軽に占いを楽しむことができる。
【００１８】
第２側面によれば、予定や連絡先、メモの確認にあたって、手帳本体の天は地に比べて重力方向に上方に配置される。収容空間内で札は重力の働きで開口よりも下方に集まる。こうして不用意な札の飛び出しは防止されることができる。
【００１９】
第３側面によれば、札が他端から収容空間の外側に出ても、札の一端は収容空間内に留まる。こうして開口から札の抜け落ちは阻止される。いちど収容空間に収容された札は保持される。新たな札の補充は必要ない。
【００２０】
第４側面によれば、手帳が開かれる以前に、容器は表紙の表面で真っ先に利用者の視界に入る。手帳がバッグやポケットから取り出されるたびに、利用者は占いを思い起こすことができる。
【００２１】
第５側面によれば、システム手帳用リフィルはシステム手帳のバインダーに装着される。装着にあたってバインダーのリングはリフィルの孔を通過する。複数の札には個別に例えば文字といった視覚的表現が書き込まれる。文字は成功者や著名人、歴史上の人物の名言や格言、良い言葉を構成することができ、１つの札が開口から収容空間の外側に出ると、利用者は視覚的表現を確認することができる。一度に一体の札しか出入りしないことから、利用者は複数の札から運任せに１つの札を認知する。利用者は出てくる言葉を予測することができないことから、言葉の新鮮さは維持される。こうして手軽に利用者に名言や格言、良い言葉を伝えることができる道具は提供される。また、文字は運勢やメッセージ、指針を構成することができる。こうして利用者は、場面ごとに、どんなところにいても、バッグその他からシステム手帳を取り出すたびに、一日に１回に限られずに何度でも手軽に占いを楽しむことができる。他のリフィルは、例えば１片の紙葉で形成され、ページごとに週間予定や月間予定、連絡先といったレイアウトが区画されればよい。
【００２２】
第６側面によれば、手軽に利用者に名言や格言、良い言葉を伝えることができるシステム手帳は提供されることができる。また、一日に１回に限られずに手軽に占いを楽しむことができるシステム手帳は実現されることができる。
【００２３】
第７側面によれば、スマートフォンはベース本体および扉体で覆われる。複数の札には個別に例えば文字といった視覚的表現が書き込まれる。文字は成功者や著名人、歴史上の人物の名言や格言、良い言葉を構成することができ、１つの札が開口から収容空間の外側に出ると、利用者は視覚的表現を確認することができる。一度に一体の札しか出入りしないことから、利用者は複数の札から運任せに１つの札を認知する。利用者は出てくる言葉を予測することができないことから、言葉の新鮮さは維持される。こうして手軽に利用者に名言や格言、良い言葉を伝えることができる道具は提供される。また、文字は運勢やメッセージ、指針を構成することができる。こうして利用者は、場面ごとに、どんなところにいても、スマートフォンを使用するたびに、一日に１回に限られずに手軽に占いを楽しむことができる。
【００２４】
第８側面によれば、複数の札には個別に例えば文字といった視覚的表現が書き込まれる。文字は成功者や著名人、歴史上の人物の名言や格言、良い言葉を構成することができ、１つの札が開口から収容空間の外側に出ると、利用者は視覚的表現を確認することができる。一度に一体の札しか出入りしないことから、利用者は複数の札から運任せに１つの札を認知する。利用者は出てくる言葉を予測することができないことから、言葉の新鮮さは維持される。こうして手軽に利用者に名言や格言、良い言葉を伝えることができる道具は提供される。また、文字は運勢やメッセージ、指針を構成することができる。こうして利用者は場所や時間を選ばずに手軽に占いを楽しむことができる。容器はクレジットカードや箱型のタブレット容器の大きさを有すればよい。
【００２５】
札は例えばベース板に平行な姿勢でベース板上に積み重なる。たとえシャッフルされても、札の姿勢は維持されることができる。開口はベース板に平行に横長に広がることから、ベース板に平行な姿勢の札は確実に開口に進入することができる。札の出入りは確実に実現される。
【００２６】
第９側面によれば、粘着層は、手帳やスマートフォン、定期入れ、名刺入れ、小銭入れ、革製品、筆箱、消しゴム、修正テープ、ブックカバー、メガネケース、ファンデーションケース、化粧品ケース、鏡、ブラシ、ポーチ、歯磨きケース、口紅、タブレット型端末のカバー、電卓、その他の対象物の平面にくじボックスまたは占いボックスのベース板を接着する粘着力を発揮する。こうして様々な物品にくじボックスまたは占いボックスは固着されることができる。
【００２７】
第１０側面によれば、剥離材は粘着層の露出を回避する。剥離材は粘着層の粘着作用を温存する。利用者は、粘着層から剥離材を剥がし、携帯する持ち物に簡単にくじボックスを固着することができる。こうして利用者は好みに応じて任意の物品にくじボックスを貼り付けることができる。
【図面の簡単な説明】
【００２８】
【図１】本発明の第１実施形態に係る手帳を概略的に示す斜視図である。
【図２】ページごとのレイアウトの一具体例を示す斜視図である。
【図３】図１の３矢視図であって容器の平面図である。
【図４】図３の４−４線に沿った断面図である。
【図５】図４の５−５線に沿った断面図である。
【図６】手帳の動作を概略的に示す拡大平面図である。
【図７】札の係り止め片を概略的に示す拡大平面図である。
【図８】本発明の第２実施形態に係るシステム手帳を概略的に示す斜視図である。
【図９】本発明の第３実施形態に係るスマートフォンカバーを概略的に示す斜視図である。
【図１０】本発明の第４実施形態に係るくじボックス（または占いボックス）を概略的に示す斜視図である。
【図１１】図１０の１１−１１線に沿った断面図である。
【図１２】第４実施形態の変形例に係るくじボックスの斜視図である。
【発明を実施するための形態】
【００２９】
以下、添付図面を参照しつつ本発明の一実施形態を説明する。
【００３０】
図１は第１実施形態に係る手帳を概略的に示す。手帳１１は紙葉１２の集合体で形成される手帳本体１３を備える。紙葉１２の輪郭は同一形状に揃えられる。多数の紙葉１２は順番に重ねられて手帳１１の背１４で束ねられる。個々の紙葉１２は１枚の紙で形成される。
【００３１】
手帳本体１３は表紙１５ａおよび裏表紙１５ｂを有する。表紙１５ａは表側で露出する紙葉１２で形成される。裏表紙１５ｂは裏側で露出する紙葉１２で形成される。表紙１５ａおよび裏表紙１５ｂは他の紙葉１２に比べて大きい厚みを有してもよい。
【００３２】
手帳本体１３には容器１６が結合される。容器１６は例えば紙材料あるいは樹脂材料から成形される。容器１６は不透明であればよい。容器１６は手帳本体１３の表紙１５ａの表面に固定される。容器１６は、表紙１５ａの表面に平行に広がる天板１７と、表紙１５ａの表面から垂直に立ち、天板１７の全周にわたって途切れなく天板１７の輪郭に接続される側壁１８とを有する。ここでは、天板１７は、表紙１５ａの表面に直交する視線の平面視でハート形状の輪郭に形成される。ただし、単純な図形その他の形状に形成されてもよい。容器１６は、表紙１５ａの表面から当該表面の垂直方向に一定の高さで形成される。その他、容器１６は表紙１５ａの見返しに固定されてもよい。
【００３３】
図２に示されるように、紙葉１２には、ページごとに週間予定や月間予定、連絡先、メモ欄といったレイアウトが区画される。手帳１１の利用者はレイアウトに予定や連絡先、メモを書き込むことができる。利用者は、予定や連絡先、メモを確認するたびに、手帳１１を開いて該当ページを見る。確認にあたって手帳１１は利用者のバッグやポケットから取り出される。
【００３４】
図３に示されるように、容器１６は内部に収容空間２１を形成する。収容空間２１には複数の札２２ａ、２２ｂ、２２ｃ、２２ｄが収容される。複数の札２２ａ、２２ｂ、２２ｃ、２２ｄは共通の形状を有する。札２２ａ、２２ｂ、２２ｃ、２２ｄは紙素材や樹脂素材から成形されればよい。ここでは、どの札２２ａ、２２ｂ、２２ｃ、２２ｄにも共通に矩形の断面形状が設定される。断面形状の頂点は札２２ａ、２２ｂ、２２ｃ、２２ｄの長手方向に４本の直線の稜線を規定する。札２２ａ、２２ｂ、２２ｃ、２２ｄの幅は収容空間２１の高さよりも大きく設定される。したがって、収容空間２１内で札２２ａ、２２ｂ、２２ｃ、２２ｄの表裏の反転は防止される。
【００３５】
図４に示されるように、容器１６には開口２３が形成される。開口２３は容器１６の外側空間と収容空間２１とを空間的に接続する。開口２３は容器１６の側壁１８に穿たれる。開口２３は、一度に一体の札２２ａ、２２ｂ、２２ｃ、２２ｄの出入りを許容する大きさを有する。したがって、開口２３の幅ｗは札２２ａ、２２ｂ、２２ｃ、２２ｄの幅ｓｗに合わせ込まれ（１．０＜ｗ／ｓｗ＜２．０）、開口２３の高さＨは札の厚みｔに合わせ込まれる（１．０＜Ｈ／ｔ＜２．０）。開口２３の幅ｗは表紙１５ａの表面に平行に測定されればよく、開口２３の高さＨは表紙１５ａの表面から垂直に測定されればよい。
【００３６】
図３および図５を併せて参照し、開口２３は、手帳本体１３の天１３ａの延長線に向かって開口する。開口２３の向きは、開口面に接する仮想平面２４の垂直線２５に基づき規定されればよい。開口２３と収容空間２１内の対向面との距離ＤＤは札２２ａ、２２ｂ、２２ｃ、２２ｄの長さＬよりも大きい。
【００３７】
図５に示されるように、札２２ａ、２２ｂ、２２ｃ、２２ｄの表面には視覚的表現が書き込まれる。視覚的表現は例えば文字や図柄を含む。文字は、例えば「為せば成る、為さねば成らぬ（上杉鷹山）」「笑顔は愛の始まりですから（マザー・テレサ）」「ほめてやらねば、人は動かず（山本五十六）」といった名言や、「巧言令色、鮮なし仁」「無用の用」「医は仁術なり」といった格言、「道は一本、まっすぐがいい（相田みつを）」「相手の心に寄り添ってみて」「どんなときも笑顔を心がけて」「自分を信じて」といった良い言葉、「旅を計画すると、金銭的な援助が得られる」「古い友人が思い浮かんだら、ラッキーハプニングの予感」「大吉」「中吉」「吉」といった運勢、「あきらめないでファイト」「ラッキーチャンス到来」「笑顔で運気上昇」といったメッセージを構成することができる。札２２ａ、２２ｂ、２２ｃ、２２ｄは裏面で表紙１５ａの表面に受け止められる。したがって、札２２ａ、２２ｂ、２２ｃ、２２ｄは表紙１５ａの表面上に視覚的表現を配置することができる。容器１６が振られると、札２２ａ、２２ｂ、２２ｃ、２２ｄは表紙１５ａの表面に裏面を向き合わせながら収容空間２１内で移動することができる。収容空間２１は、容器１６が振られた際に札２２ａ、２２ｂ、２２ｃ、２２ｄの移動で札２２ａ、２２ｂ、２２ｃ、２２ｄ同士が十分に混ぜ合わせられる程度の大きさを有する。収容空間２１は開口２３に向かって徐々に狭まるとよい。
【００３８】
次に手帳１１の動作を簡単に説明する。図６に示されるように、容器１６が振られると、容器１６の収容空間２１内で札２２ａ、２２ｂ、２２ｃ、２２ｄは混ぜ合わせられる。開口２３が収容空間２１に比べて重力方向に下方に向けられると、いずれか１体の札２２ｂの第１端２７は開口２３に進入する。このとき、開口２３は、一度に一体の札の出入りを許容する大きさを有することから、残りの札２２ａ、２２ｃ、２２ｄ…は開口２３に進入することはできない。こうして１体の札２２ｂは開口２３から収容空間２１の外側に出る。容器１６は不透明であることから、利用者は容器１６の外側から個々の札２２ａ、２２ｂ、２２ｃ、２２ｄ…を識別することはできない。したがって、利用者は意図的に開口２３まで特定の札を誘導することはできない。そのときの運任せで１体の札２２ｂは開口２３に進入する。
【００３９】
さらに容器１６が振られると、札２２ｂ表面の視覚的表現は容器１６の外側まで飛び出す。あるいは、利用者が札２２ｂの第１端２７を摘んで引き出すことで札２２ｂ表面の視覚的表現は容器１６の外側に現れる。こうして利用者は札２２ｂ上の視覚的表現を確認することができる。一度に一体の札２２ｂしか出入りしないことから、利用者は複数の札２２ａ、２２ｂ、２２ｃ、２２ｄ…から運任せに１つの札２２ｂを認知する。文字が成功者や著名人、歴史上の人物の名言や格言、良い言葉を構成する場合には、利用者は出てくる言葉を予測することができないことから、言葉の新鮮さは維持される。こうして手軽に利用者に名言や格言、良い言葉を伝えることができる道具は提供される。利用者は、悲しいとき、落ち込んだとき、苦しいとき、成功者や著名人、歴史上の人物の名言や格言、良い言葉によって励まされ、勇気づけられ、支えられ、教えられ、癒やされ、言葉から力やエネルギーを受け取る。文字が運勢やメッセージ、指針を構成する場合には、利用者は、場面ごとに、どんなところにいても、予定や連絡先、メモを確認するたびに、一日に１回に限られずに何度でも手軽に占いを楽しむことができる。
【００４０】
図７に示されるように、札２２ｂの第２端２８には係り止め片２９が形成される。係り止め片２９は第１端２７および第２端２８を含む１平面に垂直な板片で形成される。板片の高さｈＨは開口２３の高さＨよりも大きい。したがって、係り止め片２９は、札２２ｂが第１端２７から開口２３に進入する姿勢で開口２３からの札２２ｂの抜けを阻止する。札２２ａ、２２ｂ、２２ｃ、２２ｄが第１端２７から収容空間２１の外側に出ても、札２２ａ、２２ｂ、２２ｃ、２２ｄの第２端２８は収容空間２１内に止まる。こうして開口２３から札２２ａ、２２ｂ、２２ｃ、２２ｄの抜け落ちは阻止される。いちど収容空間２１に収容された札２２ａ、２２ｂ、２２ｃ、２２ｄ…は保持される。新たな札の補充は必要ない。
【００４１】
利用者は、予定や連絡先、メモを確認するたびに、手帳１１を開いて該当ページを見る。確認にあたって手帳１１は利用者のバッグやポケットから取り出される。容器１６は表紙１５ａの表面に固定されることから、手帳１１が開かれる以前に、容器１６は表紙１５ａの表面で真っ先に利用者の視界に入る。手帳１１がバッグやポケットから取り出されるたびに、利用者は名言や格言、良い言葉の視聴、占いなどを思い起こすことができる。
【００４２】
手帳１１には予定や連絡先、メモといった文字が書き込まれることから、手帳１１は天地を有する。予定や連絡先、メモの確認にあたって、手帳本体１３の天１３ａは地に比べて重力方向に上方に配置される。開口２３は、手帳本体１３の天１３ａの延長線に向き合う側壁１８に形成されることから、収容空間２１内では札２２ａ、２２ｂ、２２ｃ、２２ｄ…は重力の働きで開口２３よりも下方に集まる。こうして不用意な札２２ａ、２２ｂ、２２ｃ、２２ｄ…の飛び出しは防止されることができる。
【００４３】
ところで、女性は占いや雑誌、テレビのワイドショーを好む。占いの愛好者は事あるごとに自分の運勢を気にする。一般に提供される占いは１週間の運勢やその日いちにちの運勢を提示する。ここで、手帳１１は一般にバッグやポケットに入れられて持ち歩かれる。したがって、場面ごとに、どんなところにいても利用者はバッグやポケットから手帳１１を取り出すことができる。こうして利用者は手軽に占いを楽しむことができる。一日に１度でも何度でも占いを楽しむことができる。
【００４４】
前述のように、収容空間２１内では札２２ａ、２２ｂ、２２ｃ、２２ｄ…の表裏の反転は阻止されることから、札２２ａ、２２ｂ、２２ｃ、２２ｄ…が開口２３から収容空間２１の外側に出た際に、必ず表紙１５ａの表面で視覚的表現は露出する。利用者は必ず視覚的表現を確認することができる。
【００４５】
図８は第２実施形態に係るシステム手帳３１を概略的に示す。システム手帳３１はバインダー３２を備える。リフィル３３ａ、３３ｂはバインダー３２に装着される。リフィル３３ａ、３３ｂには、バインダー３２のリング３４の位置関係を反映した複数の孔３５が形成される。装着にあたってバインダー３２のリング３４はリフィル３３ａ、３３ｂの孔３５を通過する。こうしてリフィル３３ａ、３３ｂはバインダー３２のリング３４に綴じられる。１枚のリフィル３３ａは第１実施形態に係る手帳１１の紙葉１２に相当する。こうしたリフィル３３ａにはページごとに週間予定や月間予定、連絡先といったレイアウトが区画される。
【００４６】
ここで、特定のリフィル３３ｂはリフィル本体３６を有する。リフィル本体３６には、バインダー３２のリング３４の位置関係を反映した複数の孔３５が形成される。リフィル本体３６には容器３７が結合される。容器３７は容器１６と同様に構成されればよい。容器３７は内部に収容空間を形成する。収容空間には前述と同様に札が収容される。容器３７および札に関連する構成は前述の容器１６および札２２ａ、２２ｂ、２２ｃ、２２ｄ…と同様である。
【００４７】
複数の札２２ａ、２２ｂ、２２ｃ、２２ｄ…には個別に例えば文字といった視覚的表現が印刷される。文字は成功者や著名人、歴史上の人物の名言や格言、良い言葉を構成することができ、１つの札２２ａ、２２ｂ、２２ｃ、２２ｄ…が開口２３から収容空間の外側に出ると、利用者は視覚的表現を確認することができる。一度に一体の札２２ａ、２２ｂ、２２ｃ、２２ｄ…しか出入りしないことから、利用者は複数の札２２ａ、２２ｂ、２２ｃ、２２ｄ…から運任せに１つの札を認知する。利用者は出てくる言葉を予測することができないことから、言葉の新鮮さは維持される。こうして手軽に利用者に名言や格言、良い言葉を伝えることができる道具は提供される。また、文字は運勢やメッセージ、指針を構成することができる。こうして利用者は、場面ごとに、どんなところにいても、バッグその他からシステム手帳３１を取り出すたびに、一日に１回に限られずに何度でも手軽に占いを楽しむことができる。
【００４８】
図９は第３実施形態に係るスマートフォンカバー４１を概略的に示す。スマートフォンカバー４１はベース本体４２および扉体４３を備える。ベース本体４２は例えば樹脂材料から例えば板形状に成形される。ベース本体４２は、スマートフォンＳＰの輪郭よりも外側に広がる大きさを有する。ベース本体４２はスマートフォンＳＰの裏面に重ねられてスマートフォンＳＰに固定される。ベース本体４２はスマートフォンＳＰの裏面を覆い隠す。
【００４９】
ベース本体４２には扉体４３が結合される。扉体４３は例えば樹脂材料から例えば板形状に成形される。扉体４３は、スマートフォンＳＰの輪郭よりも外側に広がる大きさを有する。扉体４３は、ベース本体４２の縁に平行な軸４４回りでベース本体４２に対して開閉動作を実現する。こうした開閉動作の実現にあたってベース本体４２と扉体４３との間には例えばヒンジ機構が確立される。ヒンジ機構の確立にあたってベース本体４２と扉体４３とは軟性の樹脂体で相互に連結されればよい。扉体４３がベース本体４２に向かって閉じられると、扉体４３はスマートフォンＳＰの表面に重ねられスマートフォンＳＰの表面を覆い隠す。
【００５０】
扉体４３の表面には容器４５が結合される。容器４５は容器１６と同様に構成されればよい。容器４５は内部に収容空間を形成する。収容空間には前述と同様に札が収容される。容器４５および札に関連する構成は前述の容器１６および札２２ａ、２２ｂ、２２ｃ、２２ｄ…と同様である。
【００５１】
複数の札２２ａ、２２ｂ、２２ｃ、２２ｄ…には個別に例えば文字といった視覚的表現が印刷される。文字は成功者や著名人、歴史上の人物の名言や格言、良い言葉を構成することができ、１つの札２２ａ、２２ｂ、２２ｃ、２２ｄ…が開口２３から収容空間の外側に出ると、利用者は視覚的表現を確認することができる。一度に一体の札２２ａ、２２ｂ、２２ｃ、２２ｄ…しか出入りしないことから、利用者は複数の札２２ａ、２２ｂ、２２ｃ、２２ｄ…から運任せに１つの札を認知する。利用者は出てくる言葉を予測することができないことから、言葉の新鮮さは維持される。こうして手軽に利用者に名言や格言、良い言葉を伝えることができる道具は提供される。また、文字は運勢やメッセージ、指針を構成することができる。こうして利用者は、場面ごとに、どんなところにいても、バッグその他からスマートフォンＳＰを取り出すたびに、一日に１回に限られずに何度でも手軽に占いを楽しむことができる。
【００５２】
図１０は第４実施形態に係るくじボックス（または占いボックス）５１を概略的に示す。くじボックス５１は、平面に沿って広がるベース板５２と、ベース板５２に平行に広がって側壁５３でベース板５２に接続される天板５４とを有する容器５５を備える。ベース板５２や天板５４は例えば均一な厚みの板材から形成されればよい。側壁５３は、天板５４の全周にわたって途切れなくベース板５２に天板５４の輪郭を接続する。ここでは、ベース板５２および天板５４は矩形の輪郭を有する。したがって、容器５５は平たい箱形に形成される。容器５５は、例えばクレジットカードや箱型のタブレット容器（菓子箱）の大きさを有すればよい。容器５５は合成樹脂材料や金属材料から成型されることができる。
【００５３】
容器５５の側壁５３にはベース板５２および天板５４の間で開口５６が区画される。開口５６の輪郭は例えば長方形に象られる。開口５６は、ベース板５２に平行に周方向に横長に広がる。すなわち、長方形の長辺はベース板５２に平行に規定される。
【００５４】
図１１に示されるように、容器５５内部の収容空間５７には複数の札２２ａ、２２ｂ、２２ｃ、２２ｄ…が収容される。札２２ａ、２２ｂ、２２ｃ、２２ｄ…は前述と同様に構成されればよい。札２２ａ、２２ｂ、２２ｃ、２２ｄ…の幅ｓｗは収容空間５７の高さＧよりも大きく設定される。したがって、収容空間５７内では札２２ａ、２２ｂ、２２ｃ、２２ｄ…は概ねベース板５２に平行な姿勢で積み重なる。札２２ａ、２２ｂ、２２ｃ、２２ｄ…は概ねベース板５２に平行な姿勢で保持される。開口５６は、前述と同様に、一度に一体の札の出入りを許容する大きさを有する。
【００５５】
札２２ａ、２２ｂ、２２ｃ、２２ｄ…は例えばベース板５２に平行な姿勢でベース板５２上に積み重なる。たとえシャッフルされても、札２２ａ、２２ｂ、２２ｃ、２２ｄ…の姿勢は維持されることができる。開口５６はベース板５２に平行に横長に広がることから、ベース板５２に平行な姿勢の札２２ａ、２２ｂ、２２ｃ、２２ｄ…は確実に開口５６に進入することができる。札２２ａ、２２ｂ、２２ｃ、２２ｄ…の出入りは確実に実現される。その他、第１実施形態や第２実施形態と同様な効果は達成される。
【００５６】
図１２に示されるように、くじボックス（または占いボックス。以下、同様）５１は容器５５の外表面に粘着層５８を有してもよい。粘着層５８は、ベース板５２の外向き平面に積層される。粘着層５８は剥離材６１で覆われる。剥離材６１には例えば剥離紙が用いられればよい。
【００５７】
粘着層５８は、手帳やスマートフォン、定期入れ、名刺入れ、小銭入れ、革製品、筆箱、消しゴム、修正テープ、ブックカバー、メガネケース、ファンデーションケース、化粧品ケース、鏡、ブラシ、ポーチ、歯磨きケース、口紅、タブレット型端末のカバー、電卓、その他の対象物の平面にくじボックス５１のベース板５２を接着する粘着力を発揮することができる。こうして様々な物品にくじボックス５１は固着されることができる。しかも、剥離材６１は粘着層５８の露出を回避する。剥離材６１は粘着層５８の粘着作用を温存する。利用者は、粘着層５８から剥離材６１を剥がし、携帯する持ち物に簡単にくじボックス５１を固着することができる。こうして利用者は好みに応じて任意の物品にくじボックス５１を貼り付けることができる。
【００５８】
なお、前述の札２２ａ、２２ｂ、２２ｃ、２２ｄ…には、視覚的表現に代えて、あるいは視覚的表現に加えて、点字その他の触覚的表現が形成されてもよい。
【符号の説明】
【００５９】
１１…手帳、１２…紙葉、１３…手帳本体、１３ａ…天、１６…容器、２１…収容空間、２２ａ…札、２２ｂ…札、２２ｃ…札、２２ｄ…札、２３…開口、２７…第１端、２８…第２端、２９…係り止め片、３１…システム手帳、３２…バインダー、３３ｂ…リフィル、３４…リング、３５…孔、３６…リフィル本体、３７…容器、４１…スマートフォンカバー、４２…ベース本体、４３…扉体、４４…軸、４５…容器、５１…くじボックス（または占いボックス）、５２…ベース板、５３…側壁、５４…天板、５５…容器、５６…開口、５７…収容空間、５８…粘着層、６１…剥離材、ＳＰ…スマートフォン。
【図１】
2017109384.tif 000003
【図２】
2017109384.tif 000004
【図３】
2017109384.tif 000005
【図４】
2017109384.tif 000006
【図５】
2017109384.tif 000007
【図６】
2017109384.tif 000008
【図７】
2017109384.tif 000009
【図８】
2017109384.tif 000010
【図９】
2017109384.tif 000011
【図１０】
2017109384.tif 000012
【図１１】
2017109384.tif 000013
【図１２】
2017109384.tif 000014